(57)【要約】【課題】撮影シーンに適した顔領域検出の尤度の閾値を用いて顔領域検出を行うことを可能にすることを目的とする。【解決手段】ユーザの入力に基づいて、撮影に使用される撮影装置ごとに撮影シーンと、撮影パラメータと、を設定する設定手段と、撮影装置より撮影画像を受信する受信手段と、受信手段で受信された撮影画像が撮影された撮影装置に対して設定手段で設定された撮影シーンに基づき、撮影シーンに対応する撮影パラメータに含まれる顔領域検出の尤度の閾値を取得し、取得した尤度の閾値を用いて、撮影画像から顔領域を検出する検出手段と、検出手段で検出された顔領域の画像を強調して表示画面に表示する表示手段と、を有することによって課題を解決する。【選択図】図８
2010086429.tif 000002
【特許請求の範囲】
【請求項１】
ユーザの入力に基づいて、撮影に使用される撮影装置ごとに撮影シーンと、撮影パラメータと、を設定する設定手段と、
撮影装置より撮影画像を受信する受信手段と、
前記受信手段で受信された撮影画像が撮影された撮影装置に対して前記設定手段で設定された撮影シーンに基づき、前記撮影シーンに対応する前記撮影パラメータに含まれる顔領域検出の尤度の閾値を取得し、取得した前記尤度の閾値を用いて、前記撮影画像から顔領域を検出する検出手段と、
前記検出手段で検出された顔領域の画像を強調して表示画面に表示する表示手段と、
を有することを特徴とする画像処理装置。
【請求項２】
前記検出手段で取得した前記尤度の閾値に応じて、前記表示画面に表示されている、顔領域検出の尤度の閾値を表すスライダーオブジェクトを移動させるオブジェクト移動手段を更に有することを特徴とする請求項１に記載の画像処理装置。
【請求項３】
ユーザの操作に基づいて前記スライダーオブジェクトが移動させられた場合、移動させられた前記スライダーオブジェクトの位置に応じて前記尤度の閾値を変更する変更手段を更に有し、
前記検出手段は、前記変更手段で変更された前記尤度の閾値を用いて、前記撮影画像から顔領域を検出し、
前記表示手段は、前記検出手段で検出された顔領域の画像を強調して表示画面に表示することを特徴とする請求項２に記載の画像処理装置。
【請求項４】
ユーザの操作に基づいて前記尤度の閾値の変更に係るボタンオブジェクトが押下され、新たな前記尤度の閾値が設定された場合、前記設定の前の尤度の閾値と、前記設定の後の尤度の閾値と、に基づいて、新たな尤度の閾値を算出する算出手段を更に有し、
前記設定手段は、前記算出手段で算出された前記新たな尤度の閾値を該当する撮影シーンの撮影パラメータとして設定することを特徴とする請求項１乃至３の何れか１項に記載の画像処理装置。
【請求項５】
前記表示手段は、前記検出手段で検出された顔領域の個数に基づいて、撮影人数を前記表示画面に表示することを特徴とする請求項１乃至４の何れか１項に記載の画像処理装置。
【請求項６】
画像処理装置における画像処理方法であって、
ユーザの入力に基づいて、撮影に使用される撮影装置ごとに撮影シーンと、撮影パラメータと、を設定する設定ステップと、
撮影装置より撮影画像を受信する受信ステップと、
前記受信ステップで受信された撮影画像が撮影された撮影装置に対して前記設定ステップで設定された撮影シーンに基づき、前記撮影シーンに対応する前記撮影パラメータに含まれる顔領域検出の尤度の閾値を取得し、取得した前記尤度の閾値を用いて、前記撮影画像から顔領域を検出する検出ステップと、
前記検出ステップで検出された顔領域の画像を強調して表示画面に表示する表示ステップと、
を有することを特徴とする画像処理方法。
【請求項７】
前記検出ステップで取得した前記尤度の閾値に応じて、前記表示画面に表示されている、顔領域検出の尤度の閾値を表すスライダーオブジェクトを移動させるオブジェクト移動ステップを更に有することを特徴とする請求項６に記載の画像処理方法。
【請求項８】
ユーザの操作に基づいて前記スライダーオブジェクトが移動させられた場合、移動させられた前記スライダーオブジェクトの位置に応じて前記尤度の閾値を変更する変更ステップを更に有し、
前記検出ステップでは、前記変更ステップで変更された前記尤度の閾値を用いて、前記撮影画像から顔領域を検出し、
前記表示ステップでは、前記検出ステップで検出された顔領域の画像を強調して表示画面に表示することを特徴とする請求項７に記載の画像処理方法。
【請求項９】
ユーザの操作に基づいて前記尤度の閾値の変更に係るボタンオブジェクトが押下され、新たな前記尤度の閾値が設定された場合、前記設定の前の尤度の閾値と、前記設定の後の尤度の閾値と、に基づいて、新たな尤度の閾値を算出する算出ステップを更に有し、
前記設定ステップでは、前記算出ステップで算出された前記新たな尤度の閾値を該当する撮影シーンの撮影パラメータとして設定することを特徴とする請求項６乃至８の何れか１項に記載の画像処理方法。
【請求項１０】
前記表示ステップでは、前記検出ステップで検出された顔領域の個数に基づいて、撮影人数を前記表示画面に表示することを特徴とする請求項６乃至９の何れか１項に記載の画像処理方法。
【請求項１１】
コンピュータを、
ユーザの入力に基づいて、撮影に使用される撮影装置ごとに撮影シーンと、撮影パラメータと、を設定する設定手段と、
撮影装置より撮影画像を受信する受信手段と、
前記受信手段で受信された撮影画像が撮影された撮影装置に対して前記設定手段で設定された撮影シーンに基づき、前記撮影シーンに対応する前記撮影パラメータに含まれる顔領域検出の尤度の閾値を取得し、取得した前記尤度の閾値を用いて、前記撮影画像から顔領域を検出する検出手段と、
前記検出手段で検出された顔領域の画像を強調して表示画面に表示する表示手段と、
して機能させることを特徴とするプログラム。
【請求項１２】
請求項１１に記載のプログラムを記憶したコンピュータにより読み取り可能な記憶媒体。
【発明の詳細な説明】
【技術分野】
【０００１】
本発明は、画像処理装置及び画像処理方法に関する。
【背景技術】
【０００２】
最近、記念写真等を撮影する写真館のスタジオに、カメラマンがデジタルカメラで撮影した撮影画像をパーソナルコンピュータのモニタ上に表示し、その場で、撮影画像の確認をすることができる撮影システムが導入されている。このような撮影システムでは、カメラマンが撮影の成否を判断するのを支援するために、撮影により得られた撮影画像を取り込んで、撮影画像を表示すると共に、撮影画像内の人物の顔を抽出し、抽出した顔の画像を撮影画像と同一画面上に表示させることができる。
【０００３】
【特許文献１】特開２００６−１８０４０３公報
【発明の開示】
【発明が解決しようとする課題】
【０００４】
しかしながら、上記のような撮影システムで行われる顔領域の抽出は、顔を認識するための判定に、予め決まった尤度の閾値（より具体的には上述の特許文献１の場合、肌色部分の面積の閾値）のみが用いられていた。例えば、従来の撮影システムでは、証明写真の撮影や、集合写真の撮影等、撮影のシーンが異なった場合であっても、同一の尤度の閾値を用いて顔認識を行っていた。本来、証明写真や、１人、２人の写真撮影といった撮影シーンの場合、高い尤度での顔認識が必要である一方、集合写真のような撮影シーンの場合、低い尤度での顔認識を使用して、人数分の顔が存在すること等を確認したい場合が多い。
【０００５】
本発明はこのような問題点に鑑みなされたもので、撮影シーンに適した顔領域検出の尤度の閾値を用いて顔領域検出を行うことを可能にすることを目的とする。
【課題を解決するための手段】
【０００６】
そこで、本発明は、ユーザの入力に基づいて、撮影に使用される撮影装置ごとに撮影シーンと、撮影パラメータと、を設定する設定手段と、撮影装置より撮影画像を受信する受信手段と、前記受信手段で受信された撮影画像が撮影された撮影装置に対して前記設定手段で設定された撮影シーンに基づき、前記撮影シーンに対応する前記撮影パラメータに含まれる顔領域検出の尤度の閾値を取得し、取得した前記尤度の閾値を用いて、前記撮影画像から顔領域を検出する検出手段と、前記検出手段で検出された顔領域の画像を強調して表示画面に表示する表示手段と、を有することを特徴とする。
【０００７】
係る構成とすることにより、撮影シーンに適した顔領域検出の尤度の閾値を用いて顔領域検出を行うことを可能にすることができる。
【０００８】
また、本発明は、画像処理方法、プログラム及び記憶媒体としてもよい。
【発明の効果】
【０００９】
本発明によれば、撮影シーンに適した顔領域検出の尤度の閾値を用いて顔領域検出を行うことを可能にすることができる。
【発明を実施するための最良の形態】
【００１０】
以下、本発明の実施形態について図面に基づいて説明する。
【００１１】
＜実施形態１＞
図１は、撮影システムのシステム構成の一例を示す図である。図１に示されるように、撮影システムは、撮影装置の一例であるカメラ１００と、情報処理装置（コンピュータ）の一例である撮影画像確認用装置１０１と、撮影画像保存用装置１０２とが、ネットワークを介して通信可能に接続されている。カメラ１００で撮影された撮影画像は、ネットワークを通じて撮影画像確認用装置１０１に転送される。カメラマンは、撮影画像確認用装置１０１を使用して撮影画像の確認を行う。確認された画像は、撮影画像保存用装置１０２に転送され、撮影画像保存用装置１０２で管理される。なお、図１では、カメラ１００が１台、撮影画像確認用装置１０１が１台で表現されているが、撮影画像確認用装置１０１は、複数台のカメラ１００と通信可能であり、撮影画像保存用装置１０２は、複数台の撮影画像確認用装置１０１と通信可能である。
【００１２】
次に図２を用いて、撮影画像保存用装置１０２を情報処理装置（コンピュータ）等のコンピュータシステムで構成した場合のハードウェア構成の説明を行う。
ＣＰＵ２０１は、コンピュータシステムの制御をつかさどる中央演算装置である。
ＲＭＡ２０２は、ランダムアクセスメモリであり、ＣＰＵ２０１の主メモリとして機能する。また、ＲＭＡ２０２は、プログラムの実行エリアとしても機能する。
ＲＯＭ２０３は、プログラムを記録したプログラムＲＯＭとＣＰＵ２０１がプログラムに基づき処理を実行する際に必要な情報等が記録されたデータＲＯＭとがある。なお、ＲＯＭ２０３の代わりに後述のＨＤＤ２０９を用いるようにしてもよい。
ＮＥＴＩＦ２０４は、ネットワークインターフェースであり、ネットワークを介してコンピュータシステム間のデータ転送を行うための制御や接続状況の診断を行う。
ＶＲＡＭ２０５は、ビデオＲＡＭであり、後述するＣＲＴ２０６の画面（表示画面）に表示される画像を展開し、その表示の制御を行う。
【００１３】
表示装置２０６は、例えば、ディスプレイ等である。以下ＣＲＴという。
ＫＢＣ２０７は、後述するＫＢ２０８からの入力信号を制御するコントローラである。
ＫＢ２０８は、コンピュータシステムの利用者がコンピュータシステムに対して行う操作を受け付けるための外部入力装置であり、例えば、キーボード等である。
ＨＤＤ２０９は、記憶装置を示し、例えば、ハードディスク等である。ＨＤＤ２０９は、アプリケーションプログラムや、撮影画像等のデータ保存用に用いられる。
ＦＤＤ２１０は、記憶媒体からデータを読み出したり、書き込んだりするものであり、例えば、上述したアプリケーションプログラムの記憶媒体からの読み出し等に用いられる。
入出力バス２００は、上述した各ユニット間の接続するためのアドレスバス、データバス、及び制御バスである。
ＣＰＵ２０１が、ＨＤＤ２０９等に記憶されたアプリケーションプログラムに基づき、処理を実行することによって、後述する撮影画像保存用装置１０２の機能及びフローチャートに係る処理が実現される。
【００１４】
図３は、撮影画像保存用装置１０２の機能構成の一例を示す図である。
撮影画像確認用装置１０１は、カメラマン等のユーザからの入力の受け付けと表示とを司るユーザインタフェース部３００と、撮影シーンごとの、顔領域検出の尤度の閾値をはじめ、各種パラメータを管理する撮影シーン管理部３０１と、を含む。また、撮影画像確認用装置１０１は、撮影画像のレーティングを変更するレーティング変更部３０４と、ユーザインタフェースを通じて撮影画像及び顔領域抽出画像を表示する画像表示部３０５と、を含む。また、撮影画像確認用装置１０１は、顔領域検出を実行する顔領域検出管理部３０８と、カメラ１００や撮影画像保存用装置１０２とメッセージ（又はデータ）の送受信を行うメッセージ送受信部３１３と、を含む。
【００１５】
また、撮影シーン管理部３０１は、撮影シーン設定部３０２と、撮影シーン設定値決定部３０３と、を含む。また、画像表示部３０５は、撮影画像表示部３０６と、顔領域抽出画像表示部３０７と、を含む。また、顔領域検出管理部３０８は、顔領域強調描画部３０９と、撮影人数確認部３１０と、顔領域検出尤度閾値変更部３１１と、顔領域検出部３１２と、を含む。また、メッセージ送受信部３１３は、メッセージ送信部３１４と、メッセージ受信部３１５と、を含む。
【００１６】
図４は、ユーザインタフェース部３００が表示するユーザインタフェースの一例を示す図（その１）である。図４は、撮影準備時に表示されるユーザインタフェース（画面）であり、カメラマン等のユーザは、撮影対象である顧客の受付ＩＤを受付ＩＤテキストボックス４００に入力する。次にユーザは、使用カメラリスト４０１に表示されているカメラに対して撮影シーンを選択する。この選択は、撮影シーンドロップダウンリスト４０５を操作することによって指示する。次に、ユーザは、撮影開始ボタン４０３を押下することにより、撮影シーン設定部３０２は、撮影シーンにおける顔領域検出の尤度の閾値をはじめとして、いくつかの撮影パラメータを決定する。決定された撮影パラメータは、撮影画像確認用装置１０１から選択されたカメラに対して送信される。なお、顔領域検出の尤度の閾値は、送信されず、例えば後述する図５に示されるように、撮影シーン（及び撮影シーンが設定されたカメラ）と関連付けられ、ＨＤＤ２０９等に保持される。
【００１７】
図５は、撮影シーン設定部３０２が管理している設定値テーブルの一例を示す図である。設定値テーブルは、撮影シーン５００ごとに、顔領域検出の尤度の閾値５０１をはじめとしてＡｖ値５０２、Ｔｖ値５０３等を有している。なお、この設定値テーブルの設定項目及び設定値は一例であり、これらに限定されるものではない。
【００１８】
図６は、ユーザインタフェース部３００が表示するユーザインタフェースの一例を示す図（その２）である。図６は、撮影シーンとして、結婚式（１名用）といった、比較的、顔領域検出の閾値を高く設定しておきたい場合のユーザインタフェースの一例である。カメラマン等のユーザが撮影した撮影画像がカメラから撮影画像確認用装置１０１に転送されると、まず、撮影画像表示部３０６の画像表示処理により、撮影画像表示パネル６００に撮影画像が表示される。次に、撮影画像確認用装置１０１は、撮影シーン設定部３０２で設定された顔領域検出の尤度の閾値に従って、顔領域検出部３１２において顔領域検出処理を行う。そして、顔領域抽出画像表示部３０７が顔領域検出部３１２で抽出された画像を顔領域画像表示パネル６０１に表示する。このとき顔領域抽出画像表示部３０７は、顔領域検出に用いた尤度の閾値の値をスライダーオブジェクトの一例である顔領域抽出尤度閾値スライダー部６０３に表示する。また、このとき顔領域検出部３１２で抽出された顔領域の個数から、撮影人数確認部３１０が撮影人数を求め、撮影人数表示テキスト６０５に撮影人数を表示する。また、顔領域として検出された領域を撮影画像で強調表示するため、顔領域強調描画部３０９において、撮影画像に対して例えば矩形を描画し、顔領域強調表示６０２を描画する。ここまでの一連の表示処理が終了した段階で、撮影画像は、撮影画像確認用装置１０１から撮影画像保存用装置１０２に転送される。
【００１９】
次にカメラマンが顔領域検出の尤度の閾値を変更し、再認識を行いたい場合、顔領域抽出尤度閾値スライダー部６０３をスライドさせ尤度の閾値を変更することで顔領域検出尤度閾値変更部３１１が閾値を再設定し、顔領域検出部３１２において再検出を実行する。また、撮影シーンでの、顔領域検出の尤度の閾値を変更したい場合、ユーザがボタンオブジェクトの一例である閾値更新ボタン６０４を押下する。このことで、撮影シーン設定値決定部３０３が、現在の閾値と新しく設定された閾値との平均値を求め、求めた平均値を新たな撮影シーンの閾値とする処理を実行する。また、この撮影画像のレーティングを決定する場合、ユーザがレーティング決定ボタン６０６を押下する。レーティング決定ボタン６０６が押下されると、レーティング変更部３０４がレーティングの変更を実行し、メッセージ送信部３１４から撮影画像保存用装置１０２にレーティングの変更が通知される。
【００２０】
図７は、ユーザインタフェース部３００が表示するユーザインタフェースの一例を示す図（その３）である。図７は、撮影シーンとして、結婚式（集合写真）といった、比較的、顔領域検出の閾値を低く設定しておき、全員が確実に写っているかどうかを確認したい場合の例である。この場合、撮影シーによる顔領域検出の尤度の閾値が中間ぐらいに設定されているため、顔領域抽出尤度閾値スライダー部７０３が中間の位置にあり、尤度の閾値の値を示している。また、顔領域強調表示７０２が例えば矩形の場合、検出された顔領域に従って矩形の形が異なっている。本例では、矩形を用いているがこれは、一例であり、矩形で囲むことに限定されない。
【００２１】
図８は、撮影画像確認用装置１０１における顔領域検出に係る処理の一例を示すフローチャートである。
まず、処理開始後、ステップＳ８００において、ユーザインタフェース部３００は、図４の撮影準備画面を例えばＣＲＴ２０６等に表示する。
そして、ステップＳ８０１において、カメラマン等のユーザは、受付ＩＤテキストボックス４００に受付ＩＤを入力すると共に、撮影シーンリストボックス４０２から、カメラ毎の撮影シーンを設定する。撮影シーン設定部３０２は、これらユーザの入力に基づいて、撮影に使用される撮影装置ごとに撮影シーンと、撮影パラメータと、を設定する
そして、ステップＳ８０２において、撮影開始ボタン４０３が押下されることで、ユーザインタフェース部３００は、図６の撮影確認画面を表示する。
【００２２】
そして、ステップＳ８０３において、撮影画像確認用装置１０１は、カメラでの撮影、閾値更新ボタン６０４の押下、顔領域抽出尤度閾値スライダー部６０３の操作等の、イベントを待つ。
ステップＳ８０３において、カメラで撮影したというイベントが発生した場合、ステップＳ８０４において、メッセージ受信部３１５は、カメラから撮影画像を受信する。なお受信する際には、インターネットプロトコル（ＩＰ）が用いられる。この場合ＩＰのバージョンはＩＰｖ４とＩＰｖ６との双方が使用可能である。また、実際に通信経路として使用される媒体は、有線或いは無線を用いることができる。プロトコルによっては、更にＴＣＰ、ＵＤＰ、ＨＴＴＰ、ＳＭＴＰ、ＳＮＭＰ、ＦＴＰ等の通信プロトコルが用いられる場合もある。
そして、ステップＳ８０５において、メッセージ受信部３１５は、受信した撮影画像等に含まれる、又は撮影画像等共に受信したカメラを識別するカメラＩＤ等に基づいて、転送されてきた撮影画像がどのカメラから送信されたものかを判定する。
【００２３】
そして、ステップＳ８０６において、例えば、顔領域検出部３１２は、撮影されたカメラに対して設定されている撮影シーンに基づき、顔領域検出の尤度の閾値を図５の設定値テーブルから取得する。そして、顔領域検出部３１２は、取得した顔領域検出の尤度の閾値を用いて顔領域検出を実行する。更に、撮影画像表示部３０６が撮影画像を撮影画像表示パネル６００に表示し、顔領域抽出画像表示部３０７が顔領域検出部３１２において抽出された顔領域抽出画像を顔領域画像表示パネル６０１に表示する。
そして、ステップＳ８０７において、顔領域検出尤度閾値変更部３１１がステップＳ８０６で用いられた顔領域検出の尤度の閾値に応じて顔領域抽出尤度閾値スライダーを動作（オブジェクト移動）させユーザに対して尤度の閾値を通知する。また、撮影人数確認部３１０は、顔領域検出部３１２が抽出した顔領域抽出画像に基づき、確認した撮影人数を撮影人数表示テキスト６０５に表示する。このことにより、ユーザは、撮影画像に存在する人数を容易に把握することができる。
【００２４】
そして、ステップ８０８において、顔領域強調描画部３０９は、撮影画像に対して描画する強調表示を生成する。そして、顔領域強調描画部３０９は、撮影画像表示パネル６００で表示されている撮影画像に対して顔領域強調表示６０２を描画する。なお、このとき、顔領域強調描画部３０９は、顔領域の検出に用いられた尤度によって、強調表示の形態及び／又は色等を変えることで、ユーザに対してどの程度の尤度で顔領域が検出されたかを表示することができる。
そして、撮影画像確認用装置１０１は、ステップＳ８０３でのイベント待ちに戻る。
ステップＳ８０３において、顔領域抽出尤度閾値スライダー部７０３が動作された場合、ステップＳ８０９において、顔領域検出尤度閾値変更部３１１は、前記動作に応じて、尤度の閾値を変更する。このことにより、撮影シーンごと（カメラごと）に設定されている顔領域検出の閾値の尤度をより適した閾値に修正していくことが可能となる。そして、顔領域検出部３１２は、変更された尤度の閾値を用いて、再度、顔領域検出を実行する。
【００２５】
そしてステップＳ８１０において、顔領域強調描画部３０９は、検出された顔領域に基づき、撮影画像に対して描画する強調表示を生成する。そして、顔領域強調描画部３０９は、撮影画像表示パネル６００で表示されている撮影画像に対して顔領域強調表示６０２を描画する。なお、このとき、顔領域強調描画部３０９は、顔領域の検出に用いられた尤度によって、強調表示の形態及び／又は色等を変えることで、ユーザに対してどの程度の尤度で顔領域が検出されたかを表示することができる。
そして、撮影画像確認用装置１０１は、ステップＳ８０３のイベント待ちに戻る。
ステップＳ８０３において、閾値更新ボタン６０４が押下された場合、ステップＳ８１１において、撮影シーン設定値決定部３０３は、現在の設定値と設定された新しい閾値とにより、新しい設定値を算出する。このとき、撮影シーン設定値決定部３０３は、現在の設定値と設定された新しい閾値との平均値を新しい設定値とする。
【００２６】
そして、ステップＳ８１２において、例えば撮影シーン設定部３０２は、ステップＳ８１１で算出された新しい設定値を該当する撮影シーンの設定値（撮影パラメータ）として設定する。
ステップＳ８０３において、撮影終了ボタン６０７が押下された場合、撮影画像確認用装置１０１は、図８に示す処理を終了する。
【００２７】
以上、上述したように、本実施形態によれば、撮影シーンに適した顔領域検出の尤度の閾値を用いて顔領域検出を行うことを可能にすることができる。
【００２８】
＜その他の実施形態＞
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【００２９】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【００３０】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００３１】
本発明を前記記憶媒体に適用する場合、その記憶媒体（コンピュータ読み取り可能な記憶媒体）には、先に説明したフローチャートに対応するプログラムコードが格納されることになる。
【００３２】
以上、本発明の好ましい実施形態について詳述したが、本発明は係る特定の実施形態に限定されるものではなく、特許請求の範囲に記載された本発明の要旨の範囲内において、種々の変形・変更が可能である。
例えば、上述した実施形態では、撮影画像確認用装置１０１として、図２に示される所謂ＰＣ等の情報処理装置を例にハードウェア構成を説明した。しかしながら、撮影画像確認用装置１０１は、ワークステーション、ノートブックＰＣ、パームトップＰＣ、コンピュータを内蔵したテレビ等の各種家電製品、ゲーム機、電話、ＦＡＸ、携帯電話、ＰＨＳ、電子手帳、等を含む端末によっても実施することができる。また、撮影画像確認用装置１０１は、これらの組み合せによっても実施することができる。
【図面の簡単な説明】
【００３３】
【図１】撮影システムのシステム構成の一例を示す図である。
【図２】撮影画像保存用装置１０２を情報処理装置（コンピュータ）等のコンピュータシステムで構成した場合のハードウェア構成の一例を示す図である。
【図３】撮影画像保存用装置１０２の機能構成の一例を示す図である。
【図４】ユーザインタフェース部３００が表示するユーザインタフェースの一例を示す図（その１）である。
【図５】撮影シーン設定部３０２が管理している設定値テーブルの一例を示す図である。
【図６】ユーザインタフェース部３００が表示するユーザインタフェースの一例を示す図（その２）である。
【図７】ユーザインタフェース部３００が表示するユーザインタフェースの一例を示す図（その３）である。
【図８】撮影画像確認用装置１０１における顔領域検出に係る処理の一例を示すフローチャートである。
【符号の説明】
【００３４】
１００  カメラ
１０１  撮影画像確認用装置
１０２  撮影画像保存用装置
【図１】
2010086429.tif 000003
【図２】
2010086429.tif 000004
【図３】
2010086429.tif 000005
【図４】
2010086429.tif 000006
【図５】
2010086429.tif 000007
【図６】
2010086429.tif 000008
【図７】
2010086429.tif 000009
【図８】
2010086429.tif 000010